(57)【特許請求の範囲】
【請求項１】
空気圧縮装置と、複数の空気袋と、前記空気圧縮装置からの空気を貯蔵するためのバッファ室と、該バッファ室は、該バッファ室と前記空気圧縮装置とを結び該空気圧縮装置からの空気を導入するための導管と、さらに該バッファ室からの空気を前記各空気袋に供給し、かつ各空気袋からの空気を該バッファ室に送り込む導管と、該バッファ室内の空気を排気する導管とを備え、前記各導管に配設され、空気の供給及び又は排気のための開閉を行うソレノイド式電磁弁装置と、前記ソレノイド式電磁弁装置の開閉を行って前記各空気袋への空気の供給及び排気を制御してマッサージモード、エステモード、バイブレーションモードのいずれかに制御するための制御装置とを備え、
前記マッサージモードは、前記制御装置を制御して、第１空気袋への空気の給・排気後、第２空気袋への空気の給・排気を行い、以後同様に第ｎ空気袋への空気の給・排気を順次行い、
前記エステモードは、前記制御装置を制御して、第１空気袋への空気の供給後、第２空気袋への空気の供給を行い、以後同様に第ｎ空気袋への空気の供給を順次行い、その後第１空気袋から第ｎ空気袋の内部空気の排気を同時に又はシーケンシャルに行い、
前記バイブレーションモードは、前記制御装置を制御して、第１空気袋への空気の供給後、第２空気袋への空気の供給を行い、以後同様に第ｎ空気袋への空気の供給を順次行い、その後第１空気袋から第ｎ空気袋の内部空気を同時に又はシーケンシャルに排気し、所定時間後に再度第１空気袋から第ｎ空気袋内に同時に又はシーケンシャルに空気を供給し、その後第１空気袋から第ｎ空気袋の内部空気の排気を行い、
前記マッサージモードの各空気袋への空気供給時間は、前記エステモード並びに前記バイブレーションモードのそれらに比べて長く、前記各モードの排気時間は、ほぼ同じである美容並びに健康機器。
【発明の詳細な説明】
【０００１】
【産業上の利用分野】
本発明は、ソレノイド式電磁弁装置を使用した美容並びに健康機器に関する。
【０００２】
【従来の技術】
空気マッサージ器は、空気分配機構にモータを利用した回転運動を採用していた。この方式は、機構が単純なため信頼性が高く比較的に低コストで製造することが可能である。しかし、一定速の回転運動のために、空気分配運動に変化を持たせることが困難であった。
【０００３】
一方、空気マッサージ器において、信頼性が高くかつ比較的低価格でもってマッサージモード、エステモード又はバイブレーションモード等のモードに変化を持たせることが要求されている。
【０００４】
【発明が解決しようとする課題】
本発明は、上記の欠点を鑑みてなされたもので、本発明の目的は、信頼性が高くかつ比較的低価格でもってマッサージモード、エステモード又はバイブレーションモード等のモードに変化を持たせことのできる美容並びに健康機器を提供することにある。
【０００５】
空気圧縮装置と、複数の空気袋と、前記空気圧縮装置からの空気を貯蔵するためのバッファ室と、該バッファ室は、該バッファ室と前記空気圧縮装置とを結び該空気圧縮装置からの空気を導入するための導管と、さらに該バッファ室からの空気を前記各空気袋に供給し、かつ各空気袋からの空気を該バッファ室に送り込む導管と、該バッファ室内の空気を排気する導管とを備え、前記各導管に配設され、空気の供給及び又は排気のための開閉を行うソレノイド式電磁弁装置と、前記ソレノイド式電磁弁装置の開閉を行って前記各空気袋への空気の供給及び排気を制御してマッサージモード、エステモード、バイブレーションモードのいずれかに制御するための制御装置とを備え、
前記マッサージモードは、前記制御装置を制御して、第１空気袋への空気の給・排気後、第２空気袋への空気の給・排気を行い、以後同様に第ｎ空気袋への空気の給・排気を順次行い、
前記エステモードは、前記制御装置を制御して、第１空気袋への空気の供給後、第２空気袋への空気の供給を行い、以後同様に第ｎ空気袋への空気の供給を順次行い、その後第１空気袋から第ｎ空気袋の内部空気の排気を同時に又はシーケンシャルに行い、
前記バイブレーションモードは、前記制御装置を制御して、第１空気袋への空気の供給後、第２空気袋への空気の供給を行い、以後同様に第ｎ空気袋への空気の供給を順次行い、その後第１空気袋から第ｎ空気袋の内部空気を同時に又はシーケンシャルに排気し、所定時間後に再度第１空気袋から第ｎ空気袋内に同時に又はシーケンシャルに空気を供給し、その後第１空気袋から第ｎ空気袋の内部空気の排気を行い、
前記マッサージモードの各空気袋への空気供給時間は、前記エステモード並びに前記バイブレーションモードのそれらに比べて長く、前記各モードの排気時間は、ほぼ同じである美容並びに健康機器。
【００１５】
【発明の実施の形態】
本発明に係るソレノイド式電磁弁装置を使用した美容並びに健康機器の一実施例を添付図面を参照して詳述する。
【００１６】
図１は、美容並びに健康機器の構成を示すブロック図である。該図において、エアーポンプ１０は、空気袋に空気を供給するための圧縮空気を作る。エアーポンプからの圧縮空気の供給量は、予め所定の値に設定されており、一度電源を入れると、電源をＯＦＦしない限り常に駆動し続け、しかも動作中に供給量が可変されることはない。
【００１７】
圧縮空気を一時的に溜めるためのバッファ室１２、１４は、２つに分割されて配設されている。エアーポンプと各バッファ室とを結ぶ導管ＣＡ、ＣＢには、それぞれソレノイド式電磁弁装置ＳＶＡ、ＳＶＢが配設されており、エアーポンプからの空気供給の開閉をＯＮ、ＯＦＦする。なお、バッファ室は、経済的に考えて分割したが、１つのバッファ室で構成してもよい。
【００１８】
バッファ室１２は、空気袋１；ＡＢ１、空気袋３；ＡＢ３、空気袋５；ＡＢ５の設置数に相当する給排用導管Ｃ１、Ｃ３、Ｃ５を備える。さらに、排気用導管ＣＣを備える。バッファ室１４は、空気袋２；ＡＢ２、空気袋４；ＡＢ４の設置数に相当する給排用導管Ｃ２、Ｃ４を備える。さらに、排気用導管ＣＤを備える。なお、バッファ室は、その内部の圧力を検知する圧力センサー５８を設けてもよい。
【００１９】
なお、前記各空気袋（１〜５）とバッファ室１２、１４とを接続するそれぞれの給排用導管Ｃ１〜Ｃ５にはソレノイド式電磁弁ＳＶ１〜ＳＶ５が配設されている。排気用導管ＣＣ、ＣＤにはソレノイド式電磁弁ＳＶＣ、ＳＶＤが接続されている。前記ソレノイド式電磁弁装置（ＳＶ１〜ＳＶ５、ＳＶＣ、ＳＶＤ）の開閉時間は、電気制御装置（図示せず）により制御される。
【００２０】
以下、ソレノイド式電磁弁装置の構成を図２及び図３を参照して説明する。ここで、図２は、空気の流れを遮断する場合を、また図３は、空気の流れを生じる場合をそれぞれ示す。
【００２１】
該図において、ソレノイド式電磁弁装置２０は、プラスチック製のハウジング体２２の中に以下の構成を収納している。ハウジング体２２は、空気の出入れするための開口部２４−１、２４−２を２ヶ所備える。なお、該ソレノイド式電磁弁に排気作用をもたせる場合には、開口部は、３ヶ所備える。開口部２４−１、２４−２は、それぞれ導管（図示せず）に接続される。
【００２２】
第１の弁構成体２６は、弾性部材から作られ、かつ中空を有する第１の止め体２８と、該第１の止め体２８に嵌合する第１の嵌合体３０とを備えて構成される。第２の弁構成体３２は、弾性部材から作られ、かつ中空を有する第２の止め体３４と、該第２の止め体に嵌合する第２の嵌合体３６とを備えて構成される。第１及び２の嵌合体３０、３６は、それぞれ電磁駆動装置３８を構成するプランジャ４０の芯棒にそれぞれ取付られる。
【００２３】
前記第１及び第２の止め材は、ゴム等の弾性部材から作られ、かつ厚さ１．０ｍｍを有する。このように、該嵌合体３０、３６が、止め体２８、３４に嵌合して、そしてプランジャが上方又は下方に移動した時に、該止め体は、上方又は下方に弾性をもって変形することができる能力を有する。図２は、第２の止め体が下方に変形した状態を示し、図３は、第１の止め体が上方に変形した状態を示す。この能力を有すればゴムに限定されない他の弾性材料、又は厚さを有することができる。また、止め材は複数枚重ねて構成してもよい。
【００２４】
さらに、前記第１及び第２の止め体に形成された中空の直径は、第１及び第２の嵌合体の円錐体が嵌合することができる長さを有する。前記第１及び第２の嵌合体は、プラスチック製の円錐体形状を備える。該第２の嵌合体と該第２の嵌合体とは、互いに逆向きに円錐体を取り付けている。なお、該第１及び第２の嵌合体を構成する円錐体の頭部は、前記第１及び第２の止め体の中空から突出することが好ましい。
【００２５】
該第１の弁構成体２６と該第２の弁構成体３２は、所定の間隔をもって配設されている。すなわち、第１の止め体２８及び第２の止め体３４は、ハウジングに所定の間隔をもって取付られている。
【００２６】
ここで、該所定の間隔は、一方の嵌合体が一方の止め体の中空内に挿入して、該止め体を上方又は下方へ弾性変形させて嵌合状態を形成した時、他方の嵌合体が他方の止め体の中空から離れることができる距離である。
【００２７】
電磁駆動装置３８は、プランジャ４０とソレノイド４２とで構成される。前記ソレノイド４２は、中央の位置で長手方向に孔４４を備える。該長手方向の孔４４の下端は、空気の逃げ孔４６を形成している。かくしてプランジャ４０は、電磁作用により該孔内を上下方向に移動する。該プランジャ４０は、前記第２の止め板と該ソレノイド上面との間にコイルバネ４８を挿設している。
【００２８】
さらに、コイルバネ４８は、その上端及び下端に第１及び第２の当接板５０、５２を備え、第１の当接板は、前記第２の弁構成体の止め体に当接し、一方第２の当接板は、ソレノイドの上面に当接する。
【００２９】
前記ハウジング体は、その内部に、図４に示されるように、前記第１及び第２の止め体をそれぞれ押さるために、第１の押え体５４が該第１第と第２の止め体との間に、そして第２の押え体５６が該第２の止め体とソレノイド上面の間にそれぞれ配設している。前記第１及び第２の押え体５４、５６は、前記ハウジングに嵌合する中空の円筒体である。
【００３０】
かくして、第１の開口２４−１と第２の開口２４−２との間に空気を流す場合、まず、図３に示すように、ソレノイドを駆動してプランジャを上方に移動させて、第２の弁構成体の第２の止め体から第２の嵌合体を開放させる。そして、第１の弁構成体２６の第１の嵌合体３０を第１の止め体２８に嵌合させる。ここで、ソレノイドの駆動を停止する。
【００３１】
かくして、このような状態が得られると、第１の開口２４−１から入った空気は、開放された第２の弁構成体３２を通って第２の開口２４−２に流れる。逆に、第２の開口２４−２から入った空気は、開放された第２の弁構成体３２を通って第１の開口に流れる。
【００３２】
一方、この空気の流れる遮断する場合には、ソレノイドに上述と逆の動作を行なわせればよい。すなわち、図２に示すように、プランジャを下方に移動させて、第２の弁構成体３２の第２の嵌合体３６を第２の止め体３４に嵌合させる。そして、第１の弁構成体２６の第１の嵌合体３０を第１の止め体２８から開放させる。
【００３３】
図５及び図６は、ソレノイド電磁弁の他の実施例を説明する。ここで、図５は、空気の流れを起こさせる場合（ソレノイドへの通電；ＯＦＦ）、図６は、空気の流れを遮断する場合（ソレノイドへの通電；ＯＮ）をそれぞれ示す。
【００３４】
該図において、ソレノイド式電磁弁６０は、プラスチック製のハウジング体６２の中に以下の構成を収納している。ハウジング体６２は、空気の出入れするための開口部６４−１、６４−２を２ヶ所備える。なお、該ソレノイド式電磁弁に排気作用をもたせる場合には、開口部は、３ヶ所備える。開口部６４−１、６４−２は、それぞれ導管（図示せず）に接続される。
【００３５】
ハウジングの内部には、電磁作用により上下に移動するプランジャ６６を配設する。プランジャ６６の一端は当接体６８を備える。弁構成体７０は、ハウジングに取付られ、かつ中空を有する弾性部材から作られた止め体７２と、該止め体７２に当接する当接体６８とを備えて構成される。プランジャはソレノイド７４との電磁作用により上下に移動する。
【００３６】
前記止め体７２は、ゴム等の弾性部材から作られ、かつ厚さ１．０ｍｍを有する。該当接体６８は、止め体６２に当接する。そしてプランジャが上方又は下方に移動した時に、該止め体は、上方又は下方に弾性をもって変形することができる能力を有する。この能力を有すればゴムに限定されない他の弾性材料、又は厚さを有することができる。さらに、前記止め体に形成された中空の直径は、当接体が当接することができる長さを有する。
【００３７】
かくして、プランジャが図５に示されるように下方に移動すると、当接体６８と止め体７２との当接は、外れる。かくして、空気の一方の開口６４−１から他方の開口６４−２に流れる。一方、プランジャが図６に示されるように上方に移動すると、当接体６８と止め体７２とは、当接する。かくして、空気の一方の開口から他方の開口に流れは阻止される。
【００３８】
以下、上述したソレノイド式電磁弁を制御して得られるマッサージモード、エステモード、バイブレーションモードにおける空気袋の空気給排状態を説明する。
【００３９】
図７は、マッサージモードにおける空気袋の空気給排状態を示す概略図である。前記マッサージモードは、前記制御装置を制御して、第１空気袋への空気の給・排気後、第２空気袋への空気の給・排気を行い、以後同様に第３〜第５空気袋への空気の給・排気を順次行なうことを特徴とする。
【００４０】
エアーポンプ１０から各空気袋１〜５への圧縮空気の給・排気を説明する。まず、電源を入れる前に全てのソレノイド式電磁弁（ＳＶＡ、ＳＶＢ、ＳＶＣ、ＳＶＤ、ＳＶ１〜ＳＶ５）を閉じる。電源を入れて、エアーポンプを駆動して圧縮空気を送り出す。
【００４１】
次に、ＳＶＡ及びＳＶ１を開く。かくして、圧縮空気は、バッファ室１２を介して空気袋１；ＡＢ１に供給される。ここで、ＳＶＡ及びＳＶ１の開放時間は４．２秒〜４．４秒である。この時間が経過すると、ＳＶＡ及びＳＶ１は閉じる。
かくして、空気袋１内に空気が所定量存在する（ｔ１）。
【００４２】
ＳＶＡ及びＳＶ１が閉じた後、０．７秒経過した時点で、ＳＶＣ及びＳＶ１が開き、空気袋１内の空気は大気に排出される（ｔ２）。
【００４３】
排気保持時間；２．４秒〜２．６秒の経過後、ＳＶＢ及びＳＶ２は開く。かくして、圧縮空気は、バッファ室１４を介して空気袋２；ＡＢ２に供給される。ここで、ＳＶＢ及びＳＶ２の開放時間は４．２秒〜４．４秒であり、この時間が経過すると、ＳＶＢ及びＳＶ２は閉じる。かくして、空気袋２内に空気が所定量存在する（ｔ２）。
【００４４】
ＳＶＢ及びＳＶ２が閉じた後、０．７秒経過した時点で、ＳＶＤ及びＳＶ２が開き空気袋２内の空気は大気に排出される（ｔ３）。
【００４５】
以後、上述した動作が繰り返されて、空気袋３；ＡＢ３、空気袋４；ＡＢ４、空気袋５；ＡＢ５に順次空気が供給され、及び排出される（ｔ３〜ｔｅ）。
【００４６】
かくして、上述した空気袋１〜空気袋５における空気の供給及び排気の繰り返しによるマッサージ作用が患部に提供される。
【００４７】
図８は、エステモードにおける空気袋の空気給排状態を示す概略図である。
前記エステモードは、前記制御装置を制御して、第１空気袋への空気の供給後、第２空気袋への空気の供給、以後同様に第３空気袋から第５空気袋への空気の供給を順次行ない、その後、第１空気袋から第５空気袋の内部空気の排気を同時に又はシーケンシャルに行うことを特徴とする。
【００４８】
エアーポンプ１０から各空気袋１〜５への圧縮空気の給排気を説明する。まず、電源を入れる前に全てのソレノイド式電磁弁（ＳＶＡ、ＳＶＢ、ＳＶＣ、ＳＶＤ、ＳＶ１〜ＳＶ５）を閉じる。電源を入れて、エアーポンプを駆動して圧縮空気を送り出す。
【００４９】
次に、ＳＶＡ及びＳＶ１を開く。かくして、圧縮空気は、バッファ室１２を介して空気袋１；ＡＢ１に供給される。ここで、ＳＶＡ及びＳＶ１の開放時間は２．５秒であり、この時間が経過すると、ＳＶＡ及びＳＶ１は閉じる。かくして、空気袋１内に空気が所定量存在する（ｔ１）。
【００５０】
空気袋１に空気が供給された後、０．５秒経過した時点で、ＳＶＢ及びＳＶ２は開く。かくして、圧縮空気は、バッファ室１４を介して空気袋２；ＡＢ２に供給される。ここで、ＳＶＢ及びＳＶ２の開放時間は２．５秒であり、この時間が経過すると、ＳＶＢ及びＳＶ２は閉じる。かくして、空気袋２内に空気が所定量存在する（ｔ２）。
【００５１】
以後、上述した動作が繰り返されて、空気は、空気袋３；ＡＢ３、空気袋４；ＡＢ４、空気袋５；ＡＢ５に供給される。かくして、空気袋３、空気袋４、空気袋５に内に空気が所定量存在する（ｔ３〜ｔ５）。なお、空気袋１〜空気袋５内に空気が保持されている時間は、３．０秒である。
【００５２】
その後、ＳＶ１〜ＳＶ５、並びにＳＶＣ及びＳＶＤを開いて空気袋１〜空気袋５内の空気を同時に又はシーケンシャルに大気に排出する（ｔｅ）。
【００５３】
かくして、上述した空気袋１〜空気袋５における空気の供給及び排気の繰り返しによるエステ作用が患部に提供される。
【００５４】
図９は、バイブレーションモードにおける空気袋の空気給排状態を示す概略図である。前記バイブレーションモードは、前記制御装置を制御して、第１空気袋への空気の供給後、保持し、次に第２空気袋への空気の供給後、保持し、以後同様に第５空気袋への空気の供給、保持を順次行なう。その後、第１空気袋から第５空気袋の内部空気を同時又はシーケンシャルに少量排気し、所定時間経過後に再度第１空気袋から第ｎ空気袋内に同時に又はシーケンシャルに空気を少量供給する。そして、空気袋への少量排気と少量供給の動作が、繰り返えされる。その後、第１空気袋から第５空気袋の内部空気の排気を同時に又はシーケンシャルに行うことを特徴とする。
【００５５】
なお、前記空気袋の空気の給・排気の配分は、空気袋の前記動作を繰り返すことにより圧力が順次低下又は上昇しないようにほぼ一定の締め付け圧力となるように設定される
【００５６】
エアーポンプ１０から各空気袋１〜５への圧縮空気の給排気を説明する。まず、電源を入れる前に全てのソレノイド式電磁弁（ＳＶＡ、ＳＶＢ、ＳＶＣ、ＳＶＤ、ＳＶ１〜ＳＶ５）を閉じる。電源を入れて、エアーポンプを駆動して圧縮空気を送り出す。
【００５７】
次に、弁ＳＶＡ及びＳＶ１を開く。かくして、圧縮空気は、バッファ室１２を介して空気袋１；ＡＢ１に供給される。ここで、ＳＶＡ及びＳＶ１の開放時間は２．５秒であり、この時間が経過すると、電ＶＡ及びＳＶ１は閉じる。かくして、空気袋１内に空気が所定量存在する（ｔ１）。
【００５８】
空気袋１に空気が供給された後、０．５秒経過した時点で、電磁弁ＳＶＢ及びＳＶ２は開く。かくして、圧縮空気は、バッファ室を介して空気袋２；ＡＢ２に供給される。ここで、電磁弁ＳＶＢ及びＳＶ２の開放時間は２．５秒であり、この時間が経過すると、電磁弁ＳＶＢ及びＳＶ２は閉じる。かくして、空気袋２内に空気が所定量存在する（ｔ２）。
【００５９】
以後、上述した動作が繰り返されて、空気は、空気袋３；ＡＢ３、空気袋４；ＡＢ４、空気袋５；ＡＢ５に供給される。かくして、空気袋３、空気袋４、空気袋５に内に空気が所定量存在する（ｔ３〜ｔ５）。なお、空気袋１〜空気袋５内に空気は保持されている時間は、３．０秒である。
【００６０】
次に、ＳＶＡ、ＳＶＢ、ＳＶＣ及びＳＶＤを開いた状態で、ＳＶ１、ＳＶ２、ＳＶ３、ＳＶ４、ＳＶ５を同時に、又はシーケンシャルに開く。ここで、ＳＶ１、ＳＶ２、ＳＶ３、ＳＶ４、ＳＶ５を開く時間は、０．１秒である。かくして、空気袋１〜空気袋５において、わずかに空気が抜けた状態が得られる（ｔ６、ｔ８、ｔ１０〜）。
【００６１】
この後、ＳＶＣ及びＳＶＤを閉じ、ＳＶＡ及びＳＶＢを開き、かつＳＶ１、ＳＶ２、ＳＶ３、ＳＶ４、ＳＶ５を同時に、又はシーケンシャルに開く。ここで、ＳＶ１、ＳＶ２、ＳＶ３、ＳＶ４、ＳＶ５を開く時間は、０．３秒である。かくして、空気袋１〜空気袋５において、再度空気が供給される（ｔ７、ｔ９、ｔ１１〜）。
【００６２】
かくして、上述した空気袋１〜空気袋５における空気の短時間間隔での空気排気（ｔ６、ｔ８、ｔ１０〜）及び空気供給（ｔ７、ｔ９、ｔ１１〜）の繰り返しによるバイブレーション作用が患部に提供される。
【００６３】
使用後、弁ＳＶ１〜ＳＶ５、並びにＳＶＣ及びＳＶＤを開いて空気袋１〜空気袋５内の空気を同時に又はシーケンシャルに大気に排出する（ｔｅ）。
【００６４】
【発明の効果】
本発明に係る美容並びに健康機器によれば、信頼性が高くかつ比較的低価格でもってマッサージモード、エステモード又はバイブレーションモード等のモードに変化を持たせことのできる。
【図面の簡単な説明】
【図１】図１は、本発明に係る美容並びに健康機器の構成を示すブロック図である。
【図２】図２は、ソレノイド式電磁弁装置を示す概略図である。
【図３】図３は、ソレノイド式電磁弁装置を示す概略図である。
【図４】図４は、ソレノイド式電磁弁装置を示す部分分解図である。
【図５】図５は、他のソレノイド式電磁弁装置のＯＦＦ状態をを示す概略図である。
【図６】図６は、図５のソレノイド式電磁弁装置のＯＮ状態を示す概略図である。
【図７】図７は、マッサージモードにおける空気袋の空気給排状態を示す概略図である。
【図８】図８は、エステモードにおける空気袋の空気給排状態を示す概略図である。
【図９】図９は、バイブレーションモードにおける空気袋の空気給排状態を示す概略図である。
【符号の説明】
１０；エアーポンプ
１２、１４；バッファ室
ＳＶＡ、ＳＶＢ、ＳＶＣ、ＳＶＤ、ＳＶ１〜ＳＶ５；ソレノイド式電磁弁装置
ＣＡ、ＣＢ、ＣＣ，ＣＤ、Ｃ１〜Ｃ５；導管
ＡＢ１、ＡＢ２、ＡＢ３、ＡＢ４、ＡＢ５；空気袋
２２、６２；ハウジング体
２４−１、２４−２、６４−１、６４−２；開口部
２６、３２、７０；弁構成体
２８、３４、７２；止め体
３０、３６；嵌合体
４０、６６；プランジャ
６８；当接体
５２、７４；ソレノイド
【図１】
0004524489.tif 000002
【図２】
0004524489.tif 000003
【図３】
0004524489.tif 000004
【図４】
0004524489.tif 000005
【図５】
0004524489.tif 000006
【図６】
0004524489.tif 000007
【図７】
0004524489.tif 000008
【図８】
0004524489.tif 000009
【図９】
0004524489.tif 000010